(57)【要約】  水域を浄化し、懸濁溶存固形物を収集するためのシステム及び方法を提供する。前記システムは水域又はその付近の凹地に配置可能な不透水性ライニングを含む。ライニングと凹地は処理部分と、処理水を収容するための出口部分と、処理部分と出口部分の間の流出堰を含む処理容器を規定する。被処理水を水域から処理部分に輸送する。輸送した水中の懸濁溶存固形物を捕捉し、捕捉した固形物と固形物を除去した水の分離を実施するための捕捉成分を輸送した水中に添加混合する。捕捉した固形物を処理槽から除去することができ、浄化水は流出堰のチャネルを通って出口部分に流入することができる。【選択図】図１
2010535104.tif 000002
【特許請求の範囲】
【請求項１】
水域を浄化し、懸濁溶存固形物を収集するためのシステムであって、前記システムは処理したい水域又はその付近の凹地に配置可能な不透水性ライニング（ここで、ライニングと凹地は処理容器の少なくとも一部を規定し、前記容器は被処理水の流入用入口をもつ処理部分と、処理水を収容するための出口部分と、処理部分と出口部分の間の流出堰を含み、流出堰は上端が水面よりも高い位置まで延びており、容器を横断し、側縁が容器の両側の側面に封着されている）と；
被処理水を水域から処理部分入口に輸送するための手段と；
輸送した水に捕捉成分を添加し、水と捕捉成分を混合するための手段（ここで、捕捉成分は輸送した水中の懸濁溶存固形物を捕捉し、捕捉した固形物と固形物を除去した水の分離を行うための成分である）と；
捕捉した固形物を処理部分から除去するための手段を含み、浄化水が流出堰内のチャネルを通って出口部分に移動可能である前記システム。
【請求項２】
捕捉成分添加手段が輸送手段の出口端の上流に輸送中の水中に気泡流を導入するための手段を含み、気泡が水中の懸濁溶存固形物を捕捉し、水面まで移送し、気泡と捕捉した固形物が固形物除去手段まで移動可能である請求項１に記載のシステム。
【請求項３】
混合手段がクラッキング弁と、クラッキング弁の上流で気泡導入手段の下流に配置された飽和管を含む請求項２に記載のシステム。
【請求項４】
捕捉成分添加手段が凝固剤と凝集剤の少なくとも一方の供給源と、輸送した水に凝固剤と凝集剤の少なくとも一方を注入するための手段を含む請求項１に記載のシステム。
【請求項５】
混合手段が処理部分の上流に配置された蛇行流路を含む請求項４に記載のシステム。
【請求項６】
ライニングが水域付近の土壌の凹地に配置可能な弾性シートを含み、凹地が処理槽内を入口に向かって下向きに傾斜している請求項１に記載のシステム。
【請求項７】
シートがジオテキスタイル材料を含む請求項６に記載のシステム。
【請求項８】
凹地が更に沈降した固形物を収集するためのピットを入口付近にもつ請求項６に記載のシステム。
【請求項９】
流出部分内に入口をもつ流出ポンプと、流出部分内の流出液が所定の深さに達したときに流出ポンプを駆動するためのフロートスイッチを更に含む請求項１に記載のシステム。
【請求項１０】
ライニングが水域に配置可能な構造を含み、部分的に水没した配置でライニングを保持するように配置された浮遊部材を更に含み、容器の上縁が水域の水面よりも高い請求項１に記載のシステム。
【請求項１１】
構造が水域内を移動可能であり、水輸送手段が構造の前部付近にアパーチャをもち、構造が水域内を移動すると、水がアパーチャに流入し；
混合手段が蛇行経路を描く輸送手段の一部を含む請求項１０に記載のシステム。
【請求項１２】
水輸送手段が相互に間隔を空けて配置され、内端が重なり合った複数の垂直方向に配置されたバッフルを含む請求項１１に記載のシステム。
【請求項１３】
水域を浄化し、懸濁溶存固形物を収集するための方法であって、
処理したい水域又はその付近の凹地に配置された不透水性ライニングにより形成される処理容器の入口に水域から水を輸送する段階と；
輸送した水に捕捉成分を添加する段階と；
輸送した水と捕捉成分を混合する段階（ここで、捕捉成分は輸送した水中の懸濁溶存固形物を捕捉し、捕捉した固形物と固形物を除去した水の分離を行うための成分である）と；
混合した水と捕捉成分を処理容器の処理部分に移送する段階と；
捕捉した固形物を処理部分から除去する段階と；
浄化水を処理容器の出口部分に移動させる段階を含む前記方法。
【請求項１４】
捕捉成分添加段階が処理部分の上流に輸送中の水に気泡流を導入する段階を含み、気泡が水中の懸濁溶存固形物を捕捉し、水面まで移送する請求項１３に記載の方法。
【請求項１５】
混合段階が水と気泡を飽和管に移送し、次いでクラッキング弁に移送する段階を含む請求項１４に記載の方法。
【請求項１６】
捕捉成分添加段階が輸送した水中に凝固剤と凝集剤の少なくとも一方を注入する段階を含む請求項１３に記載の方法。
【請求項１７】
混合段階が処理部分の上流の蛇行流路に水を移送する段階を含む請求項１６に記載の方法。
【請求項１８】
ライニングが水域付近の土壌の凹地に配置可能な弾性シートを含み、凹地が処理槽内を入口に向かって下向きに傾斜している請求項１３に記載の方法。
【請求項１９】
水輸送段階が容器の前方に配置したアパーチャに水を流入させるように水域内で容器を移動させる段階を含み；
混合段階がアパーチャに流入する水を処理部分の上流の蛇行経路に流す段階を含む請求項１１に記載の方法。
【請求項２０】
水質浄化及び固形物収集システムの建設方法であって、
水質浄化し、固形物を収集したい水域又はその付近の凹地に不透水性ライニングを配置する段階と；
上端が処理容器内の所期水位と少なくとも同等の高さまで延び、容器を横断し、側縁が容器の両側の側面に封着されるように流出堰を容器の出口端の付近に配置し、流出堰と出口端を含む容器側面の出口部分が流出部分を規定するように配置する段階と；  
被処理水を水域から処理槽の１領域に輸送するための手段を提供する段階と；
輸送した水中の懸濁溶存固形物を捕捉し、捕捉した固形物と固形物を除去した水の分離を実施するための捕捉成分を輸送手段の出口端の上流に輸送中の水中に添加混合するための手段を提供する段階と；
捕捉成分と、捕捉した固形物を処理槽から除去するための手段を提供する段階と；
浄化水を流出槽から流出させるための手段を提供する段階を含む前記方法。
【発明の詳細な説明】
【技術分野】
【０００１】
（関連出願とのクロスリファレンス）
本願は仮出願シリアル番号第６０／９５２，９６５号（出願日２００７年７月３１日）の優先権を主張する。
【０００２】
（発明の技術分野）
本発明は水質浄化及びバイオソリッド収集システム及び方法、特に固形物捕捉を使用して水質浄化し、水中の固形物を収集するための前記システム及び方法に関する。
【背景技術】
【０００３】
溶存空気浮上分離法（ＤＡＦ）は超微細気泡空気浮上を使用して工業工程用水、都市下水、及び／又は湖沼水等の水溶液中の懸濁固形物を浮上させて除去する液体処理技術である。
【０００４】
当分野で公知のＤＡＦシステムは鋼又はコンクリートタンクから構成されている。大型の液体地上容器は全負荷レベルから動作レベル時の静水圧負荷中にタンク壁の変形を防ぐために構造鋼板とバッキング補強材が必要である。鋼容器は更に適切な支圧強度で荷重を土壌に伝達するためにフーチングが必要である。一般に腐食を遅らせるために３１４及び３１６ステンレス鋼又は特殊エポキシコーティングシステム等の不活性材料が使用されている。
【０００５】
浅い湖沼が風で混合されると、固着していない非光合成堆積物は一時的に有光層に上昇する。養分を含むこの反応性の堆積物は汚染した（過栄養型）湖沼の有光層で藻類の養分となり、持続的な藻類開花を生じることが多く、場合によっては宇宙からも認めることができる（例えば軌道スペースシャトルはフロリダ州の過栄養型アポプカ湖を他の湖沼から区別することができる）。水質浄化手段の１例は懸濁固形物（ＳＳ）とこれに取込まれた養分を除去又は回収する方法である。
【０００６】
従来のＳＳ除去アプローチは広大（５，０００〜４５，０００エーカー）な冠水湿原フィルターを使用しており、休止状態でＳＳは沈降し、土壌を形成する。土壌が崩壊するにつれ、沈殿した養分の多くは溶液中に戻り、非効率の原因となる。毒性のシアノバクテリア藻類が湿原に沈殿すると、土壌中と水中の両者で長期にわたって野生生物が毒素に暴露される可能性がある。しかし、広大な土地を利用できる場合には、この方法が好ましい浄化方法であった。
【０００７】
水域浄化において知られている１つの問題は、例えば湖岸又はその付近で土壌が柔らかく、湿っている場所でシステムを作動させなければならないことが多いという点である。掘削、埋立及び土壌安定化に伴う費用は法外になる可能性があり、改良予定区域の景観が悪化する。従って、ＤＡＦシステムは現場水域浄化には不適切であるとみなされていた。更に、同じ理由を少なくとも一因として、水域でＤＡＦ技術を使用するのは実際的でないとみなされていた。
【０００８】
従来の公知ＤＡＦシステムは有効に機能するために、流入速度、凝固剤添加パラメータ、及び汚泥と浮遊物の除去等の基準の厳密なバランスが必要である。大型のＤＡＦシステムは法外に高価であることが知られているため、濾過を最適化するために特定形状をもつ小型容器に向かう傾向がある。
【０００９】
現時点で直面している他の問題は燃料の費用増大及び供給低下と、藻類フロウェイや他の水生植物系等の生物浄化系により生産されたバイオマスの処分である。
【００１０】
従って、経済的で有効であり、水域及び周囲区域の美観を損なわない水域浄化システム及び方法を提供することが望ましい。収集したバイオソリッドを処分し、燃料を生産するためのシステム及び方法を提供することも望ましい。
【発明の概要】
【発明が解決しようとする課題】
【００１１】
１側面において本発明は公知水質浄化及びバイオソリッド収集構造に対して革新的であり且つ著しく廉価な容器構造に関する。本発明のシステムは土壌又は水域又はその組合せ等の既存支持構造により曲げ引張及び圧縮強度が提供されるという点で従来公知のシステムと構造的に相違する。
【課題を解決するための手段】
【００１２】
本発明は限定されないが、ＤＡＦ等の固形物捕捉法の革新的大規模化によりＳＳ及び溶存固形物除去を達成する。ＤＡＦシステムはＳＳの１００％を沈殿させるものではないが、全回収分を分離処理し、表面水に戻らないようにする。この結果、公知湿原技術に比較して単位面積当たりの養分除去が著しく増加する。更に、毒性藻類等の成分が生態系から安全に除去され、野生生物に暴露されなくなる。
【００１３】
セント・ジョン川水質管理区域（ＳＪＲＷＭＤ）のチーム等の多数の科学者がフロリダ州アポプカ湖等の汚染湖沼や他の地表水に利用するためにＤＡＦ等の固形物除去システムを検討しているが、従来製造されているプロセスコンポーネントは規模が著しく小型であり、湖沼規模用途に必要な膨大な流量では経済的に実現できないことが分かっている。本発明は土台や高価な鋼又はコンクリート容器を必要としない槽を建造するために精密掘削、土壌のジオメンブレン技術及び廉価なライナー膜を利用した容器構造及び使用を教示する。液圧からの風力、重力、引張、曲げ及び圧縮荷重を容器の防湿コンポーネントにより防ぐ必要がないので、非常に大型の容器を建設するための費用が著しく低減する。
【００１４】
水域を浄化し、懸濁溶存固形物を収集するためのシステムを提供する。前記システムは処理したい水域又はその付近の凹地に配置可能な不透水性ライニングを含む。ライニングと凹地は処理容器の外側境界を規定し、前記容器は被処理水の流入用入口をもつ処理部分と、処理水を収容するための出口部分と、処理部分と出口部分の間の流出堰を含む。流出堰は上端が水面よりも高い位置まで延びており、容器を横断し、側縁が容器の両側の側面に封着されている。
【００１５】
被処理水を水域から処理部分に輸送し、輸送した水に捕捉成分を添加し、輸送した水と捕捉成分を混合するための手段を提供する。捕捉成分は輸送した水中の懸濁溶存固形物を捕捉し、捕捉した固形物と固形物を除去した水の分離を行うための成分である。捕捉した固形物を処理槽から除去するための手段も提供する。浄化水は流出堰内のチャネルを通って出口部分に移動可能である。
【００１６】
捕捉成分は限定されないが、溶存気泡、凝固剤及び凝集剤等の多数の成分の１種以上から構成することができる。
【００１７】
１態様において、容器は容器の入口端付近に配置された流入バッフルを含む。流入バッフルは下端が容器の底に位置し、上端が容器の上縁から間隔を空けて水面の下まで延びており、容器を横断し、側縁が容器の両側の側面に封着されている。従って、流入バッフルと入口端を含む容器側面の入口部分は流入槽を規定する。所定態様では、流入バッフルを使用しない。
【００１８】
容器は更に、容器の出口端付近で容器底付近に容器上縁から間隔を空けて配置された流出チャネルを含む。前記チャネルは除去に備えて浮遊物を容器内に保持しながら浄化水を容器から排出する経路を一般に容器底及びその付近に提供する。
【００１９】
１特定態様において、チャネルは下端が容器底から間隔を空けて配置され、上端が少なくとも容器上縁と同等の高さまで延びており、容器を横断し、側縁が容器の両側の側面に封着された流出堰により形成することができる。従って、流出堰と出口端を含む容器側面の出口部分は流出槽を規定する。流入バッフルが存在する場合には、流出堰との間に処理槽を規定し、流入バッフルが存在しない場合には、入口と流出堰が処理槽を規定する。
【００２０】
別の態様において、チャネルは容器出口端を貫通するアパーチャにより形成することができ、アパーチャは容器底付近に水面から間隔を空けて配置される。
【００２１】
別の態様において、チャネルは出口端付近で容器底付近に水面から間隔を空けて配置された導管を含むことができる。その場合には、導管を通して浄化水をポンプにより除去することができる。
【００２２】
処理槽内の水面から気泡と捕捉した懸濁固形物を除去するための手段も提供する。懸濁固形物を除去した水は流出チャネルを通って所望目的地点まで移動することができ、例えば水域に戻ることができる。
【００２３】
浮遊容器で使用するための別の態様では、ＤＡＦシステムを利用しなくてもよく、凝固剤及び／又は凝集剤等の固形物捕捉手段を単独又は組合せて利用することができる。浮遊容器の入口から被処理水を処理ゾーンに導入し、固形物捕捉手段を水に加えて混合する。捕捉した固形物は使用する捕捉手段の種類に応じて浮沈する。固形物を除去した水は容器から排出され、捕捉した固形物は収集され、最終的に容器から除去される。
【００２４】
機構と操作方法の双方に関する本発明の特徴とその他の目的及び利点は添付図面を参照した以下の記載から更によく理解されよう。当然のことながら、図面は例証と説明を目的とし、本発明を限定するものではない。本発明により達成されるこれら及び他の目的と提供される利点は添付図面を参考に以下の記載からより完全に理解されよう。
【図面の簡単な説明】
【００２５】
【図１】排水中の懸濁固形物の除去用の典型的な溶存空気浮上分離装置の平面図である。
【００２６】
【図２】図１の態様の側断面図である。
【００２７】
【図３】水域水浸態様の側断面図である。
【００２８】
【図４】別個の流入槽をもたず、処理槽から浄化水を排出するための導管を含む態様の側断面図である。
【００２９】
【図５】吊下型の堰を使用して容器の出口部分の周囲にチャネルを形成し、浮遊物をガターから除去する態様の平面図である。
【００３０】
【図６】図５の側断面図である。
【００３１】
【図７】流動水で使用するための態様の平面図である。
【００３２】
【図８】傾斜型土壌壁の側断面図である。
【００３３】
【図９】勾配型土壌壁の側断面図である。
【００３４】
【図１０】収集した浮遊物の脱水装置の側断面図である。
【００３５】
【図１１】水質を浄化し、捕捉した固形物を収集するための浮遊式プラットフォーム又はバージの平面図である。
【００３６】
【図１２】図１１の側断面図である。
【００３７】
【図１３】浮遊式モジュラー水質浄化及び捕捉固形物収集システムの平面図である。
【００３８】
【図１４】図１３の側断面図である。
【００３９】
【図１５】沈殿し、捕捉した固形物を収集するための図１３及び１４のシステムの代替態様の側断面図である。
【発明を実施するための形態】
【００４０】
以下、図１〜１５を参考に本発明の好ましい態様について記載する。
【００４１】
本発明のＤＡＦ容器１０は以下のコンポーネント、即ち流入ゾーンと、浮遊セルゾーンと、浮遊収集ゾーンと、流出ゾーンを有する。沈殿性固形物は底まで落下し、収集システム又は暗渠導管により周期的に除去される。好ましい１態様１０において、固形物は水面まで浮上し、チェーンフライトスクレーパ又は他の方法により除去され、ランプ（別称ビーチ１６）に集められる。一般に、多数の変数に依存して浮遊ゾーン１平方フィート当たり０．５〜７ｇｐｍの流量をフィルターのサイズ決定に使用することができる。好ましい最小深さは１２インチであり、深さは１２フィートを超えることができる。
【００４２】
この浮上分離法の重要な要素は溶液中に精密に形成された空気超微細気泡である。超微細気泡の生成は空気飽和タンク、液体高圧ポンプ及び空気圧縮機をシステムで使用することにより実施することができ、超微細気泡水の清浄側の流れ１７を所定時間加圧下に維持することができ、圧力が解放されると、給水管１８中に超微細気泡が形成され、最終的にＤＡＦ槽内に放出され、ＳＳを水面まで浮上させて収集する。特定用途に応じて、各種特徴をもつ多数の超微細気泡発生器２０がある。
【００４３】
ＤＡＦシステム１０内の超微細気泡の上昇は気泡の寸法に相関する。気泡が小さいほど、浮上する粒状物は小さく、上昇速度は遅い。典型的な望ましい上昇速度は１ｆｔ／ｍｉｎであり、直径１０〜２０マイクロメーターの気泡で達成することができる。
【００４４】
低濃度のオゾン又は他の凝固手段もしくは薬品はその表面電荷を変えることにより小粒子を凝集させ、より大きな粒子ないし「フロック」を形成し、より大きな気泡により早い上昇速度で浮上することができる。水、凝固剤及びＳＳの温和な混合中に凝集が生じる。これらの変数により、体積流量比のバランスとれた効率的なＤＡＦ濾過システムが得られる。
【００４５】
ＤＡＦシステムは１〜５％という非常に高い固形分濃度の排水流を生成できることが知られている。大型湖沼又は地表水系では、物質を脱水及び処分する技術の進歩により、この点は非常に有利である。
【００４６】
藻類は表面電荷により細胞が相互に反発するので特に脱水しにくい。進化選択の結果、プランクトン藻類は水和の利点に適応している。その表面電荷密度により、乾燥条件に耐えられるように水分を保持することができる間隙空間が細胞間に残されているが、空間が埋まると、細胞は密集し、水分を失って死滅する。
【００４７】
凝固化学反応により藻類細胞及び他のＳＳは表面のイオン電荷が変化し、凝集して薄片を形成する。この凝集した薄片は十分な寸法であるため、ＤＡＦ流入水に導入された超微細気泡と共に浮上することができる。望ましい超微細気泡の寸法範囲は５〜５０マイクロメーターであり、最適寸法は１０〜２０マイクロメーターの範囲である。
【００４８】
オゾン前処理は凝固化学反応効率を著しく増加し、９０％も増加することが知られている。オゾンは小粒子が静電荷により相互に結合するようなイオン電荷と電荷密度を生じる。オゾンはＳＳを脱水しにくい状態から転換し、ＳＳが凝集し易くし、除水及び脱水を増すことができる。
【００４９】
ゼータ電位は微細粒子の距離と電荷密度の関係の電位として定義することができる。ゼータ電位は粒子の表面に近づくと急速に増加し、距離が増加するにつれて加速的割合で低下する。細胞から遠ざかるにつれて電荷が中性となり、細胞が隣接細胞に吸引されるという条件を満足し、そのように変化させるように凝固化学反応を最終的に適用する。この方法では、蒸発単独よりも迅速に凝集と脱水を達成することができる。季節変動とそれに伴う植物プランクトン／ＳＳ種分化変化に応じて異なる水系又は同一水系で最適結果が得られるように１種以上の凝固薬品又は方法を使用することができる。
【００５０】
所定の一般的な凝固薬品としては、水酸化カルシウム、酸化カルシウム、炭酸カルシウム、ポリ塩化アルミニウム（ＰＡＣ、凝集剤として利用することもでき、出願時点で好ましい態様に相当すると考えられる）、クロルヒドロキシアルミニウム、カチオンポリマー、アニオンポリマー、塩化第２鉄及び硫酸アルミニウムが挙げられる。ポリマー薬品と共に、アルギン酸塩や他の天然物質等の多数の他の物質もオゾン凝固を助長するために使用することができる。所定の一般的な天然物質としては、アルギン酸ナトリウム、クレー、他の物質との錯体としてのナトリウム、浸軟藻類細胞、粉末炭素、キチン及び澱粉が挙げられる。
【００５１】
ＤＡＦはオゾン／ＤＡＦ／ペリフィトンシーケンスで構成した場合に相乗効果を提供する。オゾン／酸素ガスは迅速なオゾン介在反応で酸化を開始する。酸素は後続反応を媒介し、反応は著しく長時間になる。湖沼水のオゾン化／酸化で酸化−還元反応が生じるには８０分までを要する。ＤＡＦの本体はペリフィトンフィルターに入る前に反応を完了できるように十分な容積に寸法決定することができる。
【００５２】
最適凝固にはオゾン及び／又は天然もしくは化学物質と共に電気凝固法を使用することができる。電気凝固法は粒子表面電荷を改変するためにアノードと電流を利用する。１種以上の凝固法の組合せにより非常に費用効果的な凝固システムが得られる。
【００５３】
ＤＡＦシステム１０は更に窒素やリン等の養分を除去するために培養されているペリフィトン培養物等の水生植物を損傷しないようにしながら、流入水中の微小無脊椎動物を除去する。
【００５４】
上記のように、ＤＡＦ技術は高固形分を除去できることが知られている。これは、固形分除去率が一般に１％未満であるサンドフィルター等の他の技術よりも著しく高い。高固形分排水流の操作には特殊なポンプシステムと操作上の注意が必要である。ＤＡＦの近くの固形分採取システムの付近で乾燥ベッド又は増粘工程に隣接するようにＤＡＦを物理的に配置すると、高固形分ポンプ又は機械化装置による物理的分配を介さずに更に増粘することができる。
【００５５】
ＤＡＦシステム１０（図１及び２）の１態様は空気供給源１１９から空気を導入される特別に改造された汚水超微細気泡発生ポンプ２０に超微細気泡を誘導する。超微細気泡発生ポンプ２０は圧縮空気をポンプ２０の圧力部に強制流入させ、水域６５からの導管１７に流体を強制流通させる。形成された超微細気泡は水と混合し、導管１７よりも断面の大きい飽和管１２０に進む。飽和管１２０は水中に分散するための滞留時間を気泡に提供する。飽和管１２０に続いてクラッキング弁１００が配置され、流量を制限し、気泡混合を助長するように飽和管１２０内に圧力を生じる。その後、超微細気泡溶液は主流１８と合流する。
【００５６】
主流１８はこの特定態様１０では２個の注入口が配置された蛇行管を通って進行する。第１の注入口１０３を通してタンク１０４から凝固剤が挿入される。第１の注入口１０３の下流の第２の注入口１０６を通してタンク１０５から凝集剤が挿入される。代替態様では、凝集剤を流入槽２９に直接挿入することができる。表面電荷が変化するので、凝固剤は藻類等のバイオマスにフロックを形成させると考えられる。これらのフロックは超微細気泡間に形成される。その後、凝集剤は気泡の周囲でフロックを凝集させる。
【００５７】
ＤＡＦフィルターシステム１０のこの態様は流入コンパートメントないし槽２９をもち、超微細気泡／流入水混合物はほぼ「Ｕ」字形の端部４０をもつ導管を通り、好ましくは上向きの複数のアパーチャ４１をもつマニフォールド１５に流入するようにポンプ３９により導入される。流入槽２９内の水はエネルギーを消散するように分散させずに実質的にゼロ速度に維持するが、これは、軽いＳＳを分離し、超微細気泡と共に上昇させるために好ましい。水は側面４２を封着した流入バッフル２８を越えて通過する。流入バッフル２８は下端２８１が容器底４３に位置し、上端２８２が容器１０の上縁４４の下まで延びている。従って、ＳＳと気泡２３は水面３６に配置され、浮遊固形物／バイオマスの凝集を助長する。流入バッフル２８は気泡相互作用により影響されない重い任意固形物も含む。流入槽２９の下流の浮遊チャンバー１９は浮遊ＳＳ２３の層を受取り、収集点に送り、コンベヤ２４又は他の手段により除去する。場合により、流入バッフル２８を省略し、水面から１〜２ｆｔ下に蛇行排出マニフォールドを配置することができる。
【００５８】
浮遊ＳＳ２３をビーチ１６に収集するためにはチェーン、パドル（フライト式）及びスプロケットを備える固形分採取システムを使用することができ、ＳＳを水面３６から引き上げ、乾燥ベッド、ジオチューブ（図１０）又は他の脱水装置に導入し、更に脱水する。ＤＡＦ処理槽１９が広過ぎて採取システムを長距離にする必要がある場合には、長さの要件を緩和するために半浮遊パドルを使用することができる。あるいは、浮遊ＳＳ２３をコンベヤ２４まで推進するために走行レーキを使用することができる。
【００５９】
浮遊しているスカム２３をコンベヤ２４とビーチ１６に移動させ、収集容器２２に送るように空気流を発生させるために１個以上の静電又は空気圧送風機２１を使用することもできる。図例の態様において、コンベヤ２４は採取したスカム２３をビーチ１６、又は他の方向の別のビーチ１６’もしくは収集容器に向けて輸送するための移動ベルトをもつ可逆装置からなる。ここでは、コンベヤ２４は処理槽１９を横断して第１の側面２５から反対側の第２の側面２６まで延びている。
【００６０】
地下水及びガスを排出させ、ライナー２７が土壌表面のその所望位置から移動しないようにするために、ＤＡＦライナー２７の下の排水システムを使用することができる。保守中にＤＡＦの全部又は一部を抽出するためにＤＡＦチャンバー１９内に媒体で覆った暗渠１１を使用することができる。
【００６１】
処分又は使用の目的で浮遊固形物を処理するためには多数の方法を使用することができる。１態様は固形物をポンプで収集容器から移動させ、付近に配置することができる脱水施設にスカム濾液を輸送する。所定態様では、一般に固形分範囲２０〜３０％の湿潤ケーキとなるまで浮遊スカムを脱水するために遠心を使用することができる。
【００６２】
あるいは、導管２０１からスカム２３を受取るジオチューブ２００（図１０）を利用して脱水を行うことができる。ジオチューブ２００は水面２０２に配置され、例えば不透水性の透明プラスチックシート２０３で覆われている。ジオチューブ２００とシート２０３の間にファン２０５から空気を吹込み、スペース２０４を形成する。日光はスペース２０４を加熱し、脱水工程を助長する。ジオチューブ２００から排出された水は暗渠２０６を通って排出される。
【００６３】
単独の封じ込め手段としてライナー２７を使用すると、フーチングと土台を備える従来の鋼及びコンクリート製縦型構造に比較して低費用で非常に大型のＤＡＦフィルター処理施設１０を建設するために経済的な設計方法が得られる。この態様１０は建設コストによる制約のある従来の金属及びコンクリート容器設計の規模を遥かに越えてＤＡＦ技術の使用可能性を拡大する。ＤＡＦライナー２７の製造にはジオテキスタイルを使用することができる。
【００６４】
ＤＡＦシステム１０からの流出液は側面４２を封着され、下端３８１が容器底４３から間隔を空けて配置され、上端３８２が容器の上縁４４以上の高さまで延びている流出堰３８の下を流れる。流出堰３８は水面の流れを阻止し、浮遊している固形物２３を浮遊チャンバー１９内に捕捉する。その後、清澄化された流出液は流出槽３０から導管３１により移送される。流出液を湖沼あるいはオゾン及び／又はペリフィトンフィルター及び／又は他の処理システム等の後続処理システムにポンプ輸送するためには、フロートスイッチ３４をもつ流出ポンプ３２を使用することができる。図１及び２に示す態様において、槽１９は槽１９の上流端３３に向かって傾斜しているため、底面のピット３５とその付近に固形物を収集することができる。
【００６５】
更に別のＤＡＦ態様１４０（図５及び６）は代替型の浮遊物収集システムと流出堰から構成される。ここでは、ＤＡＦ槽１４１はその上縁１４４に固定された浮遊エレメント１４３により吊り下げられた弾性シート１４２をもつ。槽１４１の入口部分１４５に沿ってシート１４２は重り又は他の何らかの方法で下縁１４６を槽１４１の底１４７に固定される。出口部分１４８に沿って、下縁１４６は槽底１４７から間隔を空けて配置されている。従って、マニフォールド１５に流入する水は槽１４１の内側処理部分１４９内に排出され、浮遊物１５０は水面１５１まで上昇する。その後、浄化水はシート１４２の下縁１４６の下を通り、槽１４１の周辺部１５２に排出され、そこからポンプ排出することができる。１サブ態様では、シートの下縁１４６が入口部分１４２に沿って槽底１４７に達するが、その上で出口部分１４８に沿って吊り下げられるように槽底１４７を傾斜させる。
【００６６】
この態様１４０では、水面１５１からすくい取って浮遊物１５０をガター１５４に導入する可動レーキ１５３を利用して浮遊物１５０を収集する。収集された浮遊物１５０はその後、ポンプ１５５によりガター１５４から排出することができる。
【００６７】
槽と同一膜からバッフルを形成することができる。ＨＤＰＥ埋立ライナー、ポリエチレン及び多様な合成ゴムライナー等の膜材料を使用することができるが、これに限定するものではない。ＤＡＦライナー２７の下から水を除去できるようにジオテキスタイル排水システム１１も利用する。こうすると、地下水及びガス排出に対するライニング陶製槽１９の予測可能な性能が得られ、ライナー２７に代用することができる。
【００６８】
ＤＡＦシステム１３０の１代替態様（図４）は流入槽を含まず、図１及び２のように流出堰の下にスペースをあけず、建設した流出堰１３２内を延びるパイプ１３１から流出チャネルを構成する。流出堰１３２は例えばＤＡＦ槽１３４の底１３３から少なくとも水面１３６と同等高さの頂部１３５まで延びるコンクリート又は他の構造から構成することができる。パイプの入口端１３７は槽底１３３付近から浄化水を受取り、出口１３８から流出槽１３９内に排出する。上記のように、流出槽１３９内の浄化水はその後、元の水域６５等の所望地点に輸送することができる。
【００６９】
用途によっては、部分的に水没した船体と同様に、ＤＡＦシステム５０を水域６５の水面６６に浮遊させることができる（図３）。この場合には、建造物は膜の代わりに軽量鋼、アルミニウム又はガラス繊維材料を壁５１に利用することができ、構造を軽量にし、費用を抑え、陸上風力荷重を防ぐ必要がなくなる。浮上分離法に悪影響を与える可能性のある風と跳ね上がる波からＤＡＦ表面５３を保護するためにカバー５２を使用することができる。浮遊カラー５９はシステム５０を浮遊状態に維持し易くする。サービスバージはモーター駆動式超微細気泡ポンプ５４、薬品貯蔵槽及び濾液貯蔵槽に補給することができる。水は逆止弁１０５から流出し、水域６５に戻ることができるが、波が槽５０に向かって流れると、逆止弁１０５は流入を阻止する。この設計は土地を利用せず、土地を利用した容器に比較して相対的に容易にＤＡＦ５０の移転が可能である。この船型ＤＡＦ５０は浚渫計画に非常に好適である。
【００７０】
図例の態様において、主流流入水５５は超微細気泡側流５６と合流し、凝固剤注入点を通り、同様に流入バッフル５８の上流の流入マニフォールド５７に至る。この場合も固形物６０は水面５３に集まり、スカムレーキ６２により収集され、テンダーバージを浮遊ＤＡＦ５０に近づけて掻き取るか、又は地上収集システムに直接ポンプ輸送する。浄化水は流出堰６３の下を通って流出槽６４に流入し、そこからシステム５０を出て主水域６５に流入する。
【００７１】
容器が水域中を移動可能なものや、受動浮遊型等の他の浮遊態様も考えられる（図１１〜１５）。これらの態様はＤＡＦシステムと併用してもよいし、併用しなくてもよく、水を処理施設に輸送するために、主に三角波、水流もしくは波動作用等の自然水移動、又は移動容器に対する水の移動に依存する。収集した固形物はバイオディーゼル等の燃料に最終的に加工することが可能なプランクトン種、微小無脊椎動物及び小型魚類等の成分を含有していると考えられる。
【００７２】
水質を浄化し、捕捉した固形物を収集するための容器１８１として機能する浮遊式プラットフォーム又はバージを含むシステム１８０を図１１及び１２に示す。容器１８１が浮遊式プラットフォームから構成される場合には、容器１８１を実質的に一定の位置に保持するために錨とロープ１８２（破線で示す）を使用し、水を引き込むためにポンプを使用することができる。容器１８１がバージから構成される場合には、動作中にバージは移動し、水域に対して相対運動を生じる。
【００７３】
容器１８１は入口端１８４（バージの場合には前端）に水流入口ないしアパーチャ１８３をもつ。水流入口１８３は水域１８６と流体連通する開口１８５をもち、所定態様では複数の開口１８５をもつ。限定するものではないが、フラッパー逆止弁等の逆止弁１８７を入口チャネル１８３に配置する。逆止弁１８７は水を流入させるが、流出させないように機能すると共に、逆止弁１８７の下流の処理槽１８８が溢れないようにする。
【００７４】
逆止弁１８７の下流には、凝固剤又は凝集剤又はその組合せ等の捕捉成分１９０の導入用の少なくとも１個のポート１８９が配置されている。少なくとも１個のポート１８９に続いて混合路１９１が配置され、１態様では、内端が重なり合うような配置でカバー１９８から吊り下げることができる複数の互い違いに配置したカーテン１９２により形成される蛇行流路から構成することができる。混合路１９１は乱流により捕捉成分１９０を流入水に混合させる。
【００７５】
捕捉成分１９０は懸濁溶存固形物を凝集させ、システム条件に応じて浮遊塊又は沈降塊を形成させる。図１１及び１２に示す態様では、移動式レーキ１９９を使用して浮遊固形物１９３を容器１８１の出口端１９４に向かって移動させ、ガター１９５又はランプ１９５’又は他の手段により収集した後、容器１８１内外の別の場所に抽出する。浮遊固形物１９３の下の浄化水は出口端１９４で出口１９６から流出する。
【００７６】
水質を浄化し、捕捉した固形物を収集するための容器２１１として機能する浮遊式プラットフォーム又はバージを含む別のシステム２１０，２１０’を図１３〜１５に示す。容器２１１が浮遊式プラットフォームから構成される場合には、容器２１１を実質的に一定の位置に保持するために錨とロープ２１２（破線で示す）を使用し、水を引き込むためにポンプを使用することができる。容器２１１がバージから構成される場合には、動作中にバージは移動し、水域に対して相対運動を生じる。
【００７７】
容器２１１は各々水域２１８と流体連通する水流入口２１３を入口端２１４にもつ複数の実質的に平行なチャネル２３１に分割される。チャネル２３１は例えばカバー２１６又は浮遊部材から吊り下げられたカーテン２１５により形成することができる。
【００７８】
システム２１０，２１０’は凝固剤又は凝集剤又はその組合せ等の捕捉成分２２０の導入用の少なくとも１個のポート２１９を含む。少なくとも１個のポート２１９に続いて混合路２２１が配置され、１態様では、カバー２１６から吊り下げることができる複数の互い違いに配置したカーテン２２２により形成される蛇行流路から構成することができる。混合路２２１は乱流により捕捉成分２２０を流入水に混合させる。
【００７９】
捕捉成分２２０は懸濁溶存固形物を凝集させ、システム条件に応じて浮遊塊又は沈降塊を形成させる。図１４に示す態様２１０では、浮遊固形物２２３は容器２１１の出口端２２４に向かって移動し、ランプ２２６又は他の手段により収集した後、容器２１１内外の別の場所に抽出する。浮遊固形物２２３の下の浄化水は出口端２２４で出口２２７から流出する。
【００８０】
図１５に示す態様２１０’では、沈降した固形物２２３’は容器２１１の底２２９の沈降ゾーン２２８に向かって移動し、そこから抽出される。この態様２１０’はカバーとして浮遊式カーテン２３０を含むことができる。当業者に自明の通り、これらの態様２１０，２１０’の組合せも想定できる。
【００８１】
更に当業者に自明の通り、固形物捕捉を助長するために混合路１９１，２２１の後にＤＡＦ等の付加施設をこれらのシステム１８０，２１０に追加してもよい。
【００８２】
例えば河川１６１からの流入水を浄化するためにＤＡＦシステム１６０（図７）の別の態様を使用することができる。このシステム１６０において、「槽」１６２は入口１６４の仕切弁１６３の制御下に河川１６１から引込んだ側流から構成される。凝固剤１６５と凝集剤１６６を上記のような仕切弁１６３の下流１６７，１６８で注入する。上記のようなコンベヤ／レーキ１７０及びビーチ収集領域１７１又は他の手段で浮遊物１６９を収集することができ、浄化水は同様に上記のような流出堰１７２の下を流れ、その後、システム１６０の出口１７３で河川１６１に合流する。
【００８３】
ＤＡＦ法から除去された固形物は多数の用途が考えられる。このような用途の１例は低養分土壌に適用される土壌改良であり、耕地と多量養分及び微量養分を改良する。別の用途はメンブレン上での芝培養等における液体土壌培養システムである。別の用途は紙及び紙製品製造法における繊維又は填料である。更に別の用途はメタン及びエタノール又は他のアルコール（例えばブタノール）生産用原料である。藻類油を抽出し、バイオディーゼルに加工することもできる。別の用途は動物用飼料である。
【００８４】
ＤＡＦ容器１０は浮遊用途用に建造することができ、槽内の水が容器壁を支持し、容器壁、支持構造及び土台の厚みを著しく減らすことができ、浚渫用又は地表水からのＳＳ除去用の可動浮遊ＤＡＦを可能にする。
【００８５】
高固形分の浮遊物を輸送せずに乾燥できるようにＤＡＦのすぐ隣りの流出システムにＤＡＦ固形物を送ることができる。空気圧コンベヤ送風機で固形物を収集することができる。レーキシステムでは半浮揚型パドルを使用することができる。容器内のその望ましい平面形状と位置を維持し易くするために補強スパー又は部材と共にメンブレンバッフルを使用することができる。
【００８６】
システム１０，５０のライナーの形成では、ジオテキスタイル又は苗床用グランドシートを使用することができ、掘削は土壌１２の安息角よりも急な傾きとすることができる。壁を過剰掘削し、高さ６〜１２インチに建設し、繊維性ライナー２７を三方管上に形成する場合には、ライナーは土壌１２を抑え、土壌のみの場合よりも水平剪断力を増す。この方法を使用して高さと垂直度の高い土壌保持壁構造を建設することができる。
【００８７】
上記のようなジオテキスタイルライナー７３で水槽７４を支持し、基礎地盤面及び周囲の土盛り７２よりも下の地中７１に土壌メンブレンＤＡＦ７０（図９）を建設することができる。この態様７０は更に、任意ＤＡＦ態様で機能できる原理を示し、即ち上端に浮き７７を取付け、下端に錨７８を取付けることができる「カーテン」７６を使用して個々のセクター７５に細分できる。
【００８８】
同様のシステム８０を既存の基礎地盤面よりも上に配置してもよいし、及び／又は槽壁を補強するため、もしくは現在では角度が急なほうが好ましいと考えられているのでその角度を変えるために人工構造を使用するが、それよりも上に配置してもよい。例えば、図８に示すシステム８０では、地表８３にジオテキスタイルライナー８２を敷き、ライナー８２の一部を残し、ライナー８２で槽８５を規定しようとする位置までライナー８２の一部の上に土壌８４又は他の材料を配置することにより、複数の「フィルセル」８１を形成することができる。次に、この覆っていない部分８６を圧縮土壌８４の上に折返し、所望の高さに達するまでセル８１を追加してこの工程を繰返すことができる。所望により、安定性を改善するために隣接セル８１間に補強部材８７を挿入することができる。完了したら、上記のような槽８５をライニングするように別のライナー８８を配置し、水８９を引込む。地下水面が地表に近い場合には、ウェルポイント脱水技術により地中建設が可能である。
【００８９】
別の態様において、掘削は単に土壌の天然安息角に依存し、ライナー式溝型ＤＡＦの垂直壁を形成するためにケーブル又は浮きで支持したメンブレンカーテンを組込むことができる。
【００９０】
藻類及び細菌に結合した微小無脊椎動物及び粒状養分と溶存養分を除去するために、オゾン、ＤＡＦ及びペリフィトンシステムをモジュラーシステムで使用することができる。
【００９１】
収集した物質は土壌改良用種子吹付キャリヤー及び土壌安定剤として使用することができる。収集した物質と他の水生バイオマスは濾水度を増加するため、繊維との接着を増すため、及び排水を助長するために凝固薬品及び他の物質との併用下又は非併用下に紙又は紙製品で使用することもできる。ＳＳ及び他の水生バイオマスは凝固薬品及び他の物質との併用下又は非併用下に液体土壌培養システムで使用することができる。収集したバイオマスは水素／バイオディーゼル／アルコール燃料を生産するために使用することもできる。
【００９２】
本発明のシステムの別の利点は海水から真水を作るために極めて有益であると思われる約５０〜６０％という所定程度の脱塩が行われることが判明した点である。
【００９３】
他の凝固手段との併用下又は非併用下に土壌メンブレンＤＡＦの性能を強化するために電気凝固法を利用することができる。電気凝固法及びオゾンとの併用下又は非併用下にＤＡＦの浮遊特性を強化するために天然及び人工化学凝固剤をライナーＤＡＦと併用することができる。土壌メンブレンＤＡＦから藻類固形物の固形物脱水を行うためにジオテキスタイルを使用することができる。
【００９４】
土壌メンブレンＤＡＦ及びペリフィトン培養システムからの藻類固形物を使用して天日乾燥及び堆肥化を実施することができる。ＤＡＦ容積及びそれに伴う滞留時間の操作と使用により、ペリフィトン濾過の前にオゾンと酸素の反応及び酸化−還元反応を完了することができる。
【００９５】
周期的に沈降性粒子を除去するために排水だめと手動真空システムを使用することができる。
【００９６】
本発明の別の側面は水生植物培養システムにより取込むためにＣＯ２を安定化するにつれて再生水中に藻類養分を生成する凝固及び酸性化法により水生植物及びプランクトン又は他の藻類を回収するための手段に関し、前記手段はバイオ燃料生産及び他の用途で使用することができる。
【００９７】
好ましい１態様では、工程培養水から回収した藻類を凝固させるか、又は石灰水を利用してフロックとして収集する。酸化カルシウム、水酸化カルシウム及び炭酸カルシウム（未加工及び加工形態の石灰石）を単独又は併用して水に加えると、ｐＨ上昇を生じると共に小粒子の反発性表面電荷を妨害し、小粒子を結合して薄片を形成する。これらの薄片はポリマーと凝集して大きな薄片となり、水面に容易に浮遊し、採取又は送風して収集される。
【００９８】
一般にはｐＨ補正が必要であると思われ、二酸化炭素を利用するなど液体酸等の各種手段により実施することができる。ｐＨを調節するためにＣＯ２を使用する場合には、ＣＯ２は残留酸化カルシウムを植物に好ましい炭素形態である重炭酸塩に変換する。水が培養系に戻るときには、既に炭素で改善されている。更に、この炭素は安定しており、溶存ＣＯ２等のガスを発生しない。
【００９９】
この培養水は畜産事業と排水施設からの他の栄養源で改善することができ、このバランスのとれた栄養培地は藻類の生育を促進し、エネルギーを生産するように更に生物学的に改良することができる。
【０１００】
二酸化炭素は約０．０３３％ないし３３０ｐｐｍの濃度の大気ガスである。室温で二酸化炭素の溶解度は水１００ｍＬ当たりＣＯ２約９０ｃｍ３である。水溶液中に二酸化炭素は水性形態で存在し、Ｈ２ＣＯ３即ち炭酸と平衡する。炭酸は弱酸であり、Ｈ＋＋ＨＣＯ３−（重炭酸）に解離する。
【０１０１】
この段階で藻類培養物は生体結合した炭素源として重炭酸を取込むことができる。炭素を分離するための処置を取ることもできるし、エネルギーを生産するように藻類を消化、発酵又はガス化することもできる。
【０１０２】
炭酸イオンはＣａ２＋の沈殿を生じる。ＣａＣＯ３の場合、反応定数Ｋｓｐは５×１０−９である。その後、炭酸カルシウムは水からのＨと結合し、炭酸を形成する。液体から炭酸塩が沈殿し、これを取出し、多くの目的に使用することができる。この時点で炭素は安定な形態で分離される。
【０１０３】
第２の態様は単に藻類培養の養分としての重炭酸の添加に依存する。先ず、ＣＯ２を原水に加え、ｐＨを下げることにより酸性化する。その後、酸化カルシウム、水酸化カルシウム又は炭酸カルシウムを加え、ｐＨを中性付近にする。二酸化炭素が水に溶解するにつれて炭酸イオンと平衡に達する。酸性水は酸化カルシウム、水酸化カルシウム及び／又は炭酸カルシウムを溶解し、Ｃａ２＋（水溶液）＋２ＨＣＯ３−（水溶液）となる。
【０１０４】
以上の記載では、簡潔、明瞭及び理解し易くするために所定の用語を使用したが、このような用語は本明細書では説明の目的で使用しており、広義に解釈すべきものであるため、従来技術の要件を越えて不必要な制限を意味するものではない。更に、本明細書に例証及び記載したシステム及び方法の態様は例示に過ぎず、本発明の範囲は構成及び使用の厳密な詳細に限定されない。更に、当業者に自明の通り、本明細書に記載及び例証した態様の構成要素は態様間で交換可能であり、提示する個々の構成要素に各態様を限定するものではない。
【０１０５】
以上、本発明について記載したが、その好ましい態様の構成、作用及び使用と、それにより得られる有利で新規な有用な結果、新規で有利な構成、及び当業者に自明の妥当なその等価物は以下の特許請求の範囲に記載する通りである。
【先行技術文献】
【特許文献】
【０１０６】
【特許文献１】仮出願シリアル番号第６０／９５２，９６５号
【図１】
2010535104.tif 000003
【図２】
2010535104.tif 000004
【図３】
2010535104.tif 000005
【図４】
2010535104.tif 000006
【図５】
2010535104.tif 000007
【図６】
2010535104.tif 000008
【図７】
2010535104.tif 000009
【図８】
2010535104.tif 000010
【図９】
2010535104.tif 000011
【図１０】
2010535104.tif 000012
【図１１】
2010535104.tif 000013
【図１２】
2010535104.tif 000014
【図１３】
2010535104.tif 000015
【図１４】
2010535104.tif 000016
【図１５】
2010535104.tif 000017
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
水域を浄化し、懸濁溶存固形物を収集するためのシステムであって、前記システムは処理したい水域又はその付近の凹地に配置可能な不透水性で弾性のライニング（ここで、ライニングは凹地の表面に適合し、ライニングと凹地は処理容器の少なくとも一部を規定し、前記容器は被処理水の流入用入口をもつ処理部分と、処理水を収容するための出口部分と、処理部分と出口部分の間の流出堰を含み、流出堰は上端が水面よりも高い位置まで延びており、容器を横断し、側縁が容器の両側の側面に封着されている）と；
被処理水を水域から処理部分入口に輸送するための手段と；
輸送した水に捕捉成分を添加し、水と捕捉成分を混合するための手段（ここで、捕捉成分は輸送した水中の懸濁溶存固形物を捕捉し、捕捉した固形物と固形物を除去した水の分離を行うための成分である）と；
捕捉した固形物を処理部分から除去するための手段を含み、浄化水が流出堰内のチャネルを通って出口部分に移動可能である前記システム。
【請求項２】
捕捉成分添加手段が輸送手段の出口端の上流に輸送中の水中に気泡流を導入するための手段を含み、気泡が水中の懸濁溶存固形物を捕捉し、水面まで移送し、気泡と捕捉した固形物が固形物除去手段まで移動可能である請求項１に記載のシステム。
【請求項３】
混合手段がクラッキング弁と、クラッキング弁の上流で気泡導入手段の下流に配置された飽和管を含む請求項２に記載のシステム。
【請求項４】
捕捉成分添加手段が凝固剤と凝集剤の少なくとも一方の供給源と、輸送した水に凝固剤と凝集剤の少なくとも一方を注入するための手段を含む請求項１に記載のシステム。
【請求項５】
混合手段が処理部分の上流に配置された蛇行流路を含む請求項４に記載のシステム。
【請求項６】
ライニングが水域付近の土壌の凹地に配置可能な弾性シートを含み、凹地が処理槽内を入口に向かって下向きに傾斜している請求項１に記載のシステム。
【請求項７】
シートがジオテキスタイル材料を含む請求項６に記載のシステム。
【請求項８】
凹地が更に沈降した固形物を収集するためのピットを入口付近にもつ請求項６に記載のシステム。
【請求項９】
流出部分内に入口をもつ流出ポンプと、流出部分内の流出液が所定の深さに達したときに流出ポンプを駆動するためのフロートスイッチを更に含む請求項１に記載のシステム。
【請求項１０】
水域を浄化し、懸濁溶存固形物を収集するためのシステムであって、前記システムは処理したい水域の凹地に配置可能な不透水性で弾性のライニング（ここで、ライニングは凹地の表面に適合し、ライニングと凹地は処理容器の少なくとも一部を規定し、前記容器は被処理水の流入用入口をもつ処理部分と、処理水を収容するための出口部分と、処理部分と出口部分の間の流出堰を含み、流出堰は上端が水面よりも高い位置まで延びており、容器を横断し、側縁が容器の両側の側面に封着されている）と；
部分的に水没した配置でライニングを保持するように配置された浮遊部材（容器の上縁は水域の水面よりも高い）と；
被処理水を水域から処理部分入口に輸送するための手段と；
輸送した水に捕捉成分を添加し、水と捕捉成分を混合するための手段（ここで、捕捉成分は輸送した水中の懸濁溶存固形物を捕捉し、捕捉した固形物と固形物を除去した水の分離を行うための成分である）と；
捕捉した固形物を処理部分から除去するための手段を含み、浄化水が流出堰内のチャネルを通って出口部分に移動可能である前記システム。
【請求項１１】
構造が水域内を移動可能であり、水輸送手段が構造の前部付近にアパーチャをもち、構造が水域内を移動すると、水がアパーチャに流入し；
混合手段が蛇行経路を描く輸送手段の一部を含む請求項１０に記載のシステム。
【請求項１２】
水輸送手段が相互に間隔を空けて配置され、内端が重なり合った複数の垂直方向に配置されたバッフルを含む請求項１１に記載のシステム。
【請求項１３】
水域を浄化し、懸濁溶存固形物を収集するための方法であって、
処理したい水域又はその付近の凹地に適合して配置された不透水性で弾性のライニングにより形成される処理容器の入口に水域から水を輸送する段階と；
輸送した水に捕捉成分を添加する段階と；
輸送した水と捕捉成分を混合する段階（ここで、捕捉成分は輸送した水中の懸濁溶存固形物を捕捉し、捕捉した固形物と固形物を除去した水の分離を行うための成分である）と；
混合した水と捕捉成分を処理容器の処理部分に移送する段階と；
捕捉した固形物を処理部分から除去する段階と；
浄化水を処理容器の出口部分に移動させる段階を含む前記方法。
【請求項１４】
捕捉成分添加段階が処理部分の上流に輸送中の水に気泡流を導入する段階を含み、気泡が水中の懸濁溶存固形物を捕捉し、水面まで移送する請求項１３に記載の方法。
【請求項１５】
混合段階が水と気泡を飽和管に移送し、次いでクラッキング弁に移送する段階を含む請求項１４に記載の方法。
【請求項１６】
捕捉成分添加段階が輸送した水中に凝固剤と凝集剤の少なくとも一方を注入する段階を含む請求項１３に記載の方法。
【請求項１７】
混合段階が処理部分の上流の蛇行流路に水を移送する段階を含む請求項１６に記載の方法。
【請求項１８】
ライニングが水域付近の土壌の凹地に配置可能な弾性シートを含み、凹地が処理槽内を入口に向かって下向きに傾斜している請求項１３に記載の方法。
【請求項１９】
水域を浄化し、懸濁溶存固形物を収集するための方法であって、
処理したい水域の凹地に適合して配置された不透水性で弾性のライニングにより形成される処理容器の前方に配置したアパーチャに水を流入させるように水域内で容器を移動させ、処理容器の入口に水域から水を輸送する段階と；
輸送した水に捕捉成分を添加する段階と；
混合段階がアパーチャに流入する水を処理部分の上流の蛇行経路に流すことによって輸送した水と捕捉成分を混合する段階（ここで、捕捉成分は輸送した水中の懸濁溶存固形物を捕捉し、捕捉した固形物と固形物を除去した水の分離を行うための成分である）と；
混合した水と捕捉成分を処理容器の処理部分に移送する段階と；
捕捉した固形物を処理部分から除去する段階と；
浄化水を処理容器の出口部分に移動させる段階を含む前記方法。
【請求項２０】
水質浄化及び固形物収集システムの建設方法であって、
水質浄化し、固形物を収集したい水域又はその付近の凹地に不透水性で弾性のライニング（ここで、ライニングは凹地の表面に適合する）を配置する段階と；
上端が処理容器内の所期水位と少なくとも同等の高さまで延び、容器を横断し、側縁が容器の両側の側面に封着されるように流出堰を容器の出口端の付近に配置し、流出堰と出口端を含む容器側面の出口部分が流出部分を規定するように配置する段階と；  
被処理水を水域から処理槽の１領域に輸送するための手段を提供する段階と；
輸送した水中の懸濁溶存固形物を捕捉し、捕捉した固形物と固形物を除去した水の分離を実施するための捕捉成分を輸送手段の出口端の上流に輸送中の水中に添加混合するための手段を提供する段階と；
捕捉成分と、捕捉した固形物を処理槽から除去するための手段を提供する段階と；
浄化水を流出槽から流出させるための手段を提供する段階を含む前記方法。
【国際調査報告】
2010535104.tif 000018